(57)【要約】  観察者に観察させる２次元画像を、画像表示装置側の個体差に応じて好適に処理して提示する。  画像表示装置１０は、ＲＯＭ２０１Ａ内に補正情報を格納しており、読み出した補正情報を画像提供装置２０に送信する。これに対し、情報通信端末２０は、受信した補正情報に従って色むら補正演算を行なった後に、画像情報を画像表示装置１０に送信する。この結果、画像表示装置１０側では、受信した画像情報を表示パネル２０９に表示し、色むらがキャンセルされた拡大虚像を虚像光学部２１０により観察者に観察させる。
2014034378.tif 000002
【特許請求の範囲】
【請求項１】
画像データを送受信可能な情報通信端末に接続される画像表示装置において、
画像を表示する表示部と、
前記表示部から出力される画像を光学処理する光学系、又は、前記画像表示装置又は前記画像表示装置の使用者に関する情報を検出するセンサーと、
前記表示部、前記光学系、又は前記センサーに関する特性情報を保持する特性情報保持部と、
前記情報通信端末に前記特性情報を送信する送信部と、前記情報通信端末側で前記特性情報に基づいて画像処理された画像又は情報を受信する受信部を有し、前記画像処理された画像を前記表示部に表示出力させる制御部と、
を具備する画像表示装置。
【請求項２】
前記センサーは、加速度センサー、ＧＰＳセンサー、ジャイロ・センサー、速度センサー、圧力センサー、温度センサー、発汗センサー、筋電センサー、眼電センサー、又は放射線センサーのうち少なくとも１つであり、
前記表示部、前記光学系、又は前記センサーに関する特性情報は、キャリブレーション情報、補正係数、補正アルゴリズム、若しくは前記センサーの出力情報である、
請求項１に記載の画像表示装置。
【請求項３】
画像を表示する表示部と、前記表示部から出力される画像を光学処理する光学系、又は、前記画像表示装置又は前記画像表示装置の使用者に関する情報を検出するセンサーとを備え、画像データを送受信可能な情報通信端末に接続される画像表示装置における画像表示方法において、
前記表示部、前記光学系、又は前記センサーに関する特性情報を保持する特性情報保持ステップと、
前記情報通信端末に前記特性情報を送信する送信ステップと、
前記情報通信端末側で前記特性情報に基づいて画像処理された画像又は情報を受信する受信ステップと、
前記画像処理された画像を前記表示部に表示出力する表示ステップと、
を有する画像表示方法。
【請求項４】
画像データを送受信可能な情報通信端末に接続される画像表示装置において、
画像を表示する表示部と、
前記表示部から出力される画像を光学処理する光学系、又は、前記画像表示装置又は前記画像表示装置の使用者に関する情報を検出するセンサーと、
前記画像表示装置に固有の識別情報を保持する識別情報保持部と、
前記情報通信端末に前記識別情報を送信する送信部と、前記情報通信端末側で前記識別情報に基づいて取得した前記表示部、前記光学系、又は前記センサーに関する特性情報を用いて画像処理された画像又は情報を受信する受信部を有し、前記画像処理された画像を前記表示部に表示出力させる制御部と、
を具備する画像表示装置。
【請求項５】
画像を表示する表示部と、前記表示部から出力される画像を光学処理する光学系、又は、前記画像表示装置又は前記画像表示装置の使用者に関する情報を検出するセンサーとを備え、画像データを送受信可能な情報通信端末に接続される画像表示装置における画像表示方法において、
前記画像表示装置に固有の識別情報を保持する識別情報保持ステップと、
前記情報通信端末に前記識別情報を送信する送信ステップと、
前記情報通信端末側で前記識別情報に基づいて取得した前記表示部、前記光学系、又は前記センサーに関する特性情報を用いて画像処理された画像又は情報を受信する受信ステップと、
前記画像処理された画像を前記表示部に表示出力する表示ステップと、
を有する画像表示方法。
【請求項６】
画像を表示する表示部、前記表示部の表示画像を光学処理する光学系、又は、前記画像表示装置又は前記画像表示装置の使用者に関する情報を検出するセンサーを有する画像表示装置に接続され、画像データを送受信可能な情報通信端末において、
前記画像表示装置から前記表示部、前記光学系、又は前記センサーに関する特性情報を取得する特性情報取得部と、
前記画像表示装置に提供する画像を、前記特性情報に基づいて処理する画像処理部と、
前記画像処理部により処理した後の画像を前記画像表示装置に送出する画像送信部と、
を具備する情報通信端末。
【請求項７】
前記画像表示装置は、加速度センサー、ＧＰＳセンサー、ジャイロ・センサー、速度センサー、圧力センサー、温度センサー、発汗センサー、筋電センサー、眼電センサー、又は放射線センサーのうち少なくとも１つを有し、
前記特性情報取得部は、前記画像表示装置の前記表示部、前記光学系、又は前記センサーに関する、キャリブレーション情報、補正係数、補正アルゴリズム、若しくは前記センサーの出力情報を前記特性情報として取得する、
請求項６に記載の情報通信端末。
【請求項８】
画像を表示する表示部、前記表示部の表示画像を光学処理する光学系、又は、前記画像表示装置又は前記画像表示装置の使用者に関する情報を検出するセンサーを有する画像表示装置に接続され、画像データを送受信可能な情報通信端末の情報通信方法において、
前記画像表示装置から前記表示部、前記光学系、又は前記センサーに関する特性情報を取得する特性情報取得ステップと、
前記画像表示装置に提供する画像を、前記特性情報に基づいて処理する画像処理ステップと、
前記画像処理ステップにより処理した後の画像を前記画像表示装置に送出する画像送信ステップと、
を有する情報通信方法。
【請求項９】
画像を表示する表示部、前記表示部の表示画像を光学処理する光学系、又は、前記画像表示装置又は前記画像表示装置の使用者に関する情報を検出するセンサーを有する画像表示装置に接続され、画像データを送受信可能な情報通信端末において、
前記画像表示装置に固有の識別情報を前記画像表示装置から取得する識別情報取得部と、
前記画像表示装置に提供する画像を、前記識別情報に基づいて取得した前記画像表示装置の前記表示部、前記光学系、又は前記センサーに関する特性情報を用いて処理する画像処理部と、
前記画像処理部により処理した後の画像を前記画像表示装置に送出する画像送信部と、
を具備する情報通信端末。
【請求項１０】
画像を表示する表示部、前記表示部の表示画像を光学処理する光学系、又は、前記画像表示装置又は前記画像表示装置の使用者に関する情報を検出するセンサーを有する画像表示装置に接続され、画像データを送受信可能な情報通信端末の情報通信方法において、
前記画像表示装置に固有の識別情報を取得する識別情報取得ステップと、
前記画像表示装置に提供する画像を、前記識別情報に基づいて取得した前記画像表示装置の前記表示部、前記光学系、又は前記センサーに関する特性情報を用いて処理する画像処理ステップと、
前記画像処理ステップにより処理した後の画像を前記画像表示装置に送出する画像送信ステップと、
を有する情報通信方法。
【請求項１１】
画像を表示する表示部、前記表示部の表示画像を光学処理する光学系、又は、前記画像表示装置又は前記画像表示装置の使用者に関する情報を検出するセンサーと、前記光学系又は前記センサーに関する特性情報を有する画像表示装置と、
前記画像表示装置に接続され、画像データを送受信可能な情報通信端末と、
を具備し、
前記情報通信端末は、前記画像表示装置から前記表示部、前記光学系、又は前記センサーに関する特性情報を取得し、前記特性情報に基づいて処理した後の画像を前記画像表示装置に送出する、
画像表示システム。
【請求項１２】
前記画像表示装置は、加速度センサー、ＧＰＳセンサー、ジャイロ・センサー、速度センサー、圧力センサー、温度センサー、発汗センサー、筋電センサー、眼電センサー、又は放射線センサーのうち少なくとも１つを有し、
前記情報通信端末は、前記画像表示装置の前記表示部、前記光学系、又は前記センサーに関する、キャリブレーション情報、補正係数、補正アルゴリズム、若しくは前記センサーの出力情報を前記特性情報として取得する、
請求項１１に記載の画像表示システム。
【請求項１３】
画像を表示する表示部、前記表示部の表示画像を光学処理する光学系、又は、前記画像表示装置又は前記画像表示装置の使用者に関する情報を検出するセンサーと、前記光学系又は前記センサーに関する特性情報を有する画像表示装置と、
前記画像表示装置に接続され、画像データを送受信可能な情報通信端末と、
を具備し、
前記情報通信端末は、前記画像表示装置に固有の識別情報を前記画像表示装置から取得するとともに、前記識別情報に基づいて取得した前記表示部、前記光学系、又は前記センサーに関する特性情報を用いて処理した後の画像を前記画像表示装置に送出する、
画像表示システム。
【発明の詳細な説明】
【技術分野】
【０００１】
本明細書で開示する技術は、画像を観察者に観察させる画像表示装置及び画像表示方法、画像表示装置に接続され画像データを送受信可能な情報通信端末及び情報通信方法、並びに、画像表示装置と情報通信端末を含んだ画像表示システムに係り、例えば、観察者が頭部に装着して用いられ、画像を虚像光学系により拡大虚像として観察者に観察させる画像表示装置及び画像表示方法、頭部装着型画像表示装置に接続され画像情報データを送受信可能な情報通信端末及び情報通信方法、並びに画像表示システムに関する。
【背景技術】
【０００２】
頭部に装着して画像の視聴に利用される頭部装着型の画像表示装置、すなわち、ヘッド・マウント・ディスプレイが知られている。頭部装着型画像表示装置は、例えば左右の眼毎の画像表示部を持ち、また、ヘッドフォンと併用することで、視覚及び聴覚を制御できるように構成されている。また、頭部装着型画像表示装置は、左右の眼に違う画像を映し出すことも可能であり、左右の眼に視差のある画像を表示すれば３次元画像を提示することができる。【０００３】
頭部装着型画像表示装置を、遮光性のタイプと透過性のタイプに分類することもできる。遮光性の頭部装着型画像表示装置は、頭部に装着した際に、ユーザーの眼を直接覆うように構成され、画像視聴時に没入感が増す（例えば、特許文献１を参照のこと）。一方、透過性の頭部装着型画像表示装置の場合、ユーザーが頭部に装着して画像を表示している間も、画像越しに外景を眺める（すなわち、シースルーする）ことができるので（例えば、特許文献２を参照のこと）、屋外での使用時や歩行中の使用時において、ユーザーは障害物との衝突などの危険から回避することができる。【０００４】
遮光性並びに透過性いずれのタイプであっても、頭部装着型画像表示装置は、左右の両眼（若しくは単眼）の表示部として、例えば液晶や有機ＥＬ（Ｅｌｅｃｔｒｏ−Ｌｕｍｉｎｅｓｃｅｎｃｅ）素子などからなる高解像度のマイクロ・ディスプレイを装備し、マイクロ・ディスプレイに表示された２次元画像を虚像光学系により拡大虚像として観察者に観察させるという点では共通する。【０００５】
遮光性の頭部装着型画像表示装置の場合、例えば接眼光学レンズを用いて２次元画像の拡大虚像を形成する。ここで、光の屈折には波長依存特性があるため、光学レンズには倍率色収差があることが知られている。このため、ある位置から出射した白色光は、レンズを介すると、Ｒ、Ｇ、Ｂの波長成分毎に異なる場所に結像するため（図１３を参照のこと）、観察者にとっては色むらが観察される。色収差によって生じる色むらなどの光学的な原因による画像劣化を、表示パネルに供給するＲＧＢ各色の画像信号に対して個別に補正を行なうという電気的な処理によってキャンセルする方法が提案されている（例えば、特許文献３を参照のこと）。【０００６】
また、透過性の頭部装着型画像表示装置の場合、ホログラムに代表される回折光学素子を用いて画像の拡大虚像を形成する方法が知られている。回折光学素子は、波長によって回折角度が相違することから、白色光が回折光学素子を通過すると、Ｒ、Ｇ、Ｂの波長成分毎に分散するという色割れを生じてしまい、観察者が観察する拡大虚像がぼやけてしまう。そこで、同じ回折光学素子を２枚組み合わせ、１枚目の回折光学素子で反射した際に生じる波長分散を２枚目の回折光学素子で反射する際に元に戻す（すなわち、色割れをキャンセルする）方法（図１４を参照のこと）が提案されている。また、色割れを光学的にキャンセルできたとしても、回折光学素子への入射角に応じて回折効率が相違するという問題がある。図１４に示した構成例では、表示パネルから特定波長（特定の帯域幅）の光（例えばＧ）を出射した場合、１枚目の回折格子への入射角（言い換えれば、コリメート光学レンズを通過する場所）に応じて回折効率のよい波長が変化することから（図１５を参照のこと）、最終的な拡大虚像は水平位置に応じて波長が変化する像となる（図１６を参照のこと）。特定波長Ｇについて説明したが、Ｒ、Ｇ、Ｂを重ねると色むらが観察されることになる。このように光学系によって生じる色むらなどの画像劣化を、表示パネルに供給するＲＧＢ各色の画像信号に対して個別に補正を行なうという電気的な処理によってキャンセルする方法が提案されている（例えば、特許文献２を参照のこと）。【０００７】
まとめると、拡大虚像に生じる色むらは、虚像光学系の特性に基因する。個々のレンズ毎に光学特性が相違するという観点から、色むらを補正するために使用する補正係数は、個々のレンズ毎に区々の値であり、装置毎に固有の情報ということができる。色むらを電気的な処理によってキャンセルする際には、レンズ毎に相違する補正係数を用いる必要がある。【０００８】
付言すれば、遮光性並びに透過性いずれのタイプの頭部装着型画像表示装置であっても、マイクロ・ディスプレイに表示出力する前に、コントラスト調整やブライトネス調整、ガンマー補正処理、ディザー処理、ブランキング時間調整、画像反転といった画像補正処理を施すのが一般的である。
【発明の概要】
【発明が解決しようとする課題】
【０００９】
本明細書で開示する技術の目的は、観察者に観察させる画像を、画像表示装置側に固有の特性に応じて好適に処理して提示することができる、優れた画像表示装置及び画像表示方法、情報通信端末及び情報通信方法、並びに画像表示システムを提供することにある。
【課題を解決するための手段】
【００１０】
本願は、上記課題を参酌してなされたものであり、請求項１に記載の技術は、
画像データを送受信可能な情報通信端末に接続される画像表示装置において、
画像を表示する表示部と、
前記表示部から出力される画像を光学処理する光学系、又は、前記画像表示装置又は前記画像表示装置の使用者に関する情報を検出するセンサーと、
前記表示部、前記光学系、又は前記センサーに関する特性情報を保持する特性情報保持部と、
前記情報通信端末に前記特性情報を送信する送信部と、前記情報通信端末側で前記特性情報に基づいて画像処理された画像又は情報を受信する受信部を有し、前記画像処理された画像を前記表示部に表示出力させる制御部と、
を具備する画像表示装置である。【００１１】
本願の請求項２に記載の技術によれば、請求項１に記載の画像表示装置において、前記センサーは、加速度センサー、ＧＰＳセンサー、ジャイロ・センサー、速度センサー、圧力センサー、温度センサー、発汗センサー、筋電センサー、眼電センサー、又は放射線センサーのうち少なくとも１つである。また、前記表示部、前記光学系、又は前記センサーに関する特性情報は、キャリブレーション情報、補正係数、補正アルゴリズム、若しくは前記センサーの出力情報である。【００１２】
また、本願の請求項３に記載の技術は、
画像を表示する表示部と、前記表示部から出力される画像を光学処理する光学系、又は、前記画像表示装置又は前記画像表示装置の使用者に関する情報を検出するセンサーとを備え、画像データを送受信可能な情報通信端末に接続される画像表示装置における画像表示方法において、
前記表示部、前記光学系、又は前記センサーに関する特性情報を保持する特性情報保持ステップと、
前記情報通信端末に前記特性情報を送信する送信ステップと、
前記情報通信端末側で前記特性情報に基づいて画像処理された画像又は情報を受信する受信ステップと、
前記画像処理された画像を前記表示部に表示出力する表示ステップと、
を有する画像表示方法である。【００１３】
また、本願の請求項４に記載の技術は、
画像データを送受信可能な情報通信端末に接続される画像表示装置において、
画像を表示する表示部と、
前記表示部から出力される画像を光学処理する光学系、又は、前記画像表示装置又は前記画像表示装置の使用者に関する情報を検出するセンサーと、
前記画像表示装置に固有の識別情報を保持する識別情報保持部と、
前記情報通信端末に前記識別情報を送信する送信部と、前記情報通信端末側で前記識別情報に基づいて取得した前記表示部、前記光学系、又は前記センサーに関する特性情報を用いて画像処理された画像又は情報を受信する受信部を有し、前記画像処理された画像を前記表示部に表示出力させる制御部と、
を具備する画像表示装置である。【００１４】
また、本願の請求項５に記載の技術は、
画像を表示する表示部と、前記表示部から出力される画像を光学処理する光学系、又は、前記画像表示装置又は前記画像表示装置の使用者に関する情報を検出するセンサーとを備え、画像データを送受信可能な情報通信端末に接続される画像表示装置における画像表示方法において、
前記画像表示装置に固有の識別情報を保持する識別情報保持ステップと、
前記情報通信端末に前記識別情報を送信する送信ステップと、
前記情報通信端末側で前記識別情報に基づいて取得した前記表示部、前記光学系、又は前記センサーに関する特性情報を用いて画像処理された画像又は情報を受信する受信ステップと、
前記画像処理された画像を前記表示部に表示出力する表示ステップと、
を有する画像表示方法である。【００１５】
また、本願の請求項６に記載の技術は、
画像を表示する表示部、前記表示部の表示画像を光学処理する光学系、又は、前記画像表示装置又は前記画像表示装置の使用者に関する情報を検出するセンサーを有する画像表示装置に接続され、画像データを送受信可能な情報通信端末において、
前記画像表示装置から前記表示部、前記光学系、又は前記センサーに関する特性情報を取得する特性情報取得部と、
前記画像表示装置に提供する画像を、前記特性情報に基づいて処理する画像処理部と、
前記画像処理部により処理した後の画像を前記画像表示装置に送出する画像送信部と、
を具備する情報通信端末である。【００１６】
本願の請求項７に記載の技術によれば、前記画像表示装置は、加速度センサー、ＧＰＳセンサー、ジャイロ・センサー、速度センサー、圧力センサー、温度センサー、発汗センサー、筋電センサー、眼電センサー、又は放射線センサーのうち少なくとも１つを有している。そして、本願の請求項６に係る情報通信端末の前記特性情報取得部は、前記画像表示装置の前記表示部、前記光学系、又は前記センサーに関する、キャリブレーション情報、補正係数、補正アルゴリズム、若しくは前記センサーの出力情報を前記特性情報として取得するように構成されている。【００１７】
また、本願の請求項８に記載の技術は、
画像を表示する表示部、前記表示部の表示画像を光学処理する光学系、又は、前記画像表示装置又は前記画像表示装置の使用者に関する情報を検出するセンサーを有する画像表示装置に接続され、画像データを送受信可能な情報通信端末の情報通信方法において、
前記画像表示装置から前記表示部、前記光学系、又は前記センサーに関する特性情報を取得する特性情報取得ステップと、
前記画像表示装置に提供する画像を、前記特性情報に基づいて処理する画像処理ステップと、
前記画像処理ステップにより処理した後の画像を前記画像表示装置に送出する画像送信ステップと、
を有する情報通信方法である。【００１８】
また、本願の請求項９に記載の技術は、
画像を表示する表示部、前記表示部の表示画像を光学処理する光学系、又は、前記画像表示装置又は前記画像表示装置の使用者に関する情報を検出するセンサーを有する画像表示装置に接続され、画像データを送受信可能な情報通信端末において、
前記画像表示装置に固有の識別情報を前記画像表示装置から取得する識別情報取得部と、
前記画像表示装置に提供する画像を、前記識別情報に基づいて取得した前記画像表示装置の前記表示部、前記光学系、又は前記センサーに関する特性情報を用いて処理する画像処理部と、
前記画像処理部により処理した後の画像を前記画像表示装置に送出する画像送信部と、
を具備する情報通信端末である。【００１９】
また、本願の請求項１０に記載の技術は、
画像を表示する表示部、前記表示部の表示画像を光学処理する光学系、又は、前記画像表示装置又は前記画像表示装置の使用者に関する情報を検出するセンサーを有する画像表示装置に接続され、画像データを送受信可能な情報通信端末の情報通信方法において、
前記画像表示装置に固有の識別情報を取得する識別情報取得ステップと、
前記画像表示装置に提供する画像を、前記識別情報に基づいて取得した前記画像表示装置の前記表示部、前記光学系、又は前記センサーに関する特性情報を用いて処理する画像処理ステップと、
前記画像処理ステップにより処理した後の画像を前記画像表示装置に送出する画像送信ステップと、
を有する情報通信方法である。【００２０】
また、本願の請求項１１は、
画像を表示する表示部、前記表示部の表示画像を光学処理する光学系、又は、前記画像表示装置又は前記画像表示装置の使用者に関する情報を検出するセンサーと、前記光学系又は前記センサーに関する特性情報を有する画像表示装置と、
前記画像表示装置に接続され、画像データを送受信可能な情報通信端末と、
を具備し、
前記情報通信端末は、前記画像表示装置から前記表示部、前記光学系、又は前記センサーに関する特性情報を取得し、前記特性情報に基づいて処理した後の画像を前記画像表示装置に送出する、
画像表示システムである。【００２１】
但し、ここで言う「システム」とは、複数の装置（又は特定の機能を実現する機能モジュール）が論理的に集合した物のことを言い、各装置や機能モジュールが単一の筐体内にあるか否かは特に問わない（以下、同様）。【００２２】
本願の請求項１２に記載の技術によれば、請求項１１に係る画像表示システムにおいて、前記画像表示装置は、加速度センサー、ＧＰＳセンサー、ジャイロ・センサー、速度センサー、圧力センサー、温度センサー、発汗センサー、筋電センサー、眼電センサー、又は放射線センサーのうち少なくとも１つを有している。そして、前記情報通信端末は、前記画像表示装置の前記表示部、前記光学系、又は前記センサーに関する、キャリブレーション情報、補正係数、補正アルゴリズム、若しくは前記センサーの出力情報を前記特性情報として取得するように構成されている。【００２３】
また、本願の請求項１３に記載の技術は、
画像を表示する表示部、前記表示部の表示画像を光学処理する光学系、又は、前記画像表示装置又は前記画像表示装置の使用者に関する情報を検出するセンサーと、前記光学系又は前記センサーに関する特性情報を有する画像表示装置と、
前記画像表示装置に接続され、画像データを送受信可能な情報通信端末と、
を具備し、
前記情報通信端末は、前記画像表示装置に固有の識別情報を前記画像表示装置から取得するとともに、前記識別情報に基づいて取得した前記表示部、前記光学系、又は前記センサーに関する特性情報を用いて処理した後の画像を前記画像表示装置に送出する、
画像表示システムである。
【発明の効果】
【００２４】
本明細書で開示する技術によれば、観察者に観察させる２次元画像を、画像表示装置側に固有の特性に応じて好適に処理して提示することができる、優れた画像表示装置及び画像表示方法、情報通信端末及び情報通信方法、並びに画像表示システムを提供することができる。【００２５】
本明細書で開示する技術のさらに他の目的、特徴や利点は、後述する実施形態や添付する図面に基づくより詳細な説明によって明らかになるであろう。
【図面の簡単な説明】
【００２６】
【図１】図１は、２次元画像を観察者に観察させるための画像表示装置１０と、画像表示装置１０に画像情報を提供する情報通信端末２０を含んだ画像表示システム１の構成を模式的に示した図である。
【図２】図２は、頭部装着型の画像表示装置１０の内部構成例を示した図である。
【図３】図３は、情報通信端末２０としての多機能携帯端末の内部構成例を示した図である。
【図４】図４は、携帯電話機能搭載ヘッド・マウント・ディスプレイの内部構成例を示した図である。
【図５】図５は、画像表示システム１における画像提供方法を説明するための図である。
【図６】図６は、画像表示システム１内で情報通信端末２０から画像表示装置１０へ画像を提供する際の処理シーケンス例を示した図である。
【図７】図７は、図５の変形例を示した図である。
【図８】図８は、画像表示システム１における画像提供方法を説明するための図である。
【図９】図９は、画像表示システム１内で情報通信端末２０から画像表示装置１０へ画像を提供する際の処理シーケンス例を示した図である。
【図１０】図１０は、図８の変形例を示した図である。
【図１１Ａ】図１１Ａは、画像表示システム１における画像提供方法を説明するための図である。
【図１１Ｂ】図１１Ｂは、画像表示システム１における画像提供方法の変形例を説明するための図である。
【図１２】図１２は、図１１Ａに対応する、画像表示システム１内で情報通信端末２０から画像表示装置１０へ画像を提供する際の処理シーケンス例を示した図である。
【図１３】図１３は、光学レンズの倍率色収差を説明するための図である。
【図１４】図１４は、透過性の頭部装着型画像表示装置の構成例を示した図である。
【図１５】図１５は、図１４に示した画像表示装置において、特定波長の光を出射した際の入射角に応じた回折効率の相違を示した図である。
【図１６】図１６は、図１４に示した画像表示装置における観察画像を示した図である。
【図１７】図１７は、画像補正処理の手順を模式的に示した図である。
【発明を実施するための形態】
【００２７】
以下、図面を参照しながら本明細書で開示する技術の実施形態について詳細に説明する。
【００２８】
図１には、２次元画像を観察者に観察させるための画像表示装置１０と、画像表示装置１０に画像情報を提供する情報通信端末２０を含んだ画像表示システム１の構成を模式的に示している。
【００２９】
画像表示装置１０と情報通信端末２０は、所定の通信路３０を介して相互接続される。例えば、ＭＨＬ（Ｍｏｂｉｌｅ  Ｈｉｇｈ−ｄｅｆｉｎｉｔｉｏｎ  Ｌｉｎｋ）やＵＳＢ（Ｕｎｉｖｅｒｓａｌ  Ｓｅｒｉａｌ  Ｂｕｓ）、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）、Ｗｉ−Ｆｉなどの無線ＬＡＮ（Ｌｏｃａｌ  Ａｒｅａ  Ｎｅｔｗｏｒｋ）、Ｂｌｕｅｔｏｏｔｈ（登録商標）通信、赤外線通信などのうちいずれかの通信規格に基づく通信路３０を相互接続に用いることができる。
【００３０】
また、情報通信端末２０は、インターネットに接続して、各種のサーバーから必要な情報を取得することができる。なお、画像表示装置１０もインターネットの接続機能を装備していてもよいが、本明細書で開示する技術を実現する上で必須ではない。
【００３１】
画像表示装置１０は、画像の観察者が装着して用いる、遮光性又は透過性の頭部装着型画像表示装置である。画像表示装置１０は、情報通信端末２０から提供された画像情報に基づいて２次元画像を形成するとともに、虚像光学系を介して２次元画像の拡大虚像を観察者に観察させる。
【００３２】
また、情報通信端末２０は、スマートフォンなどの多機能情報端末である。多機能情報端末としての情報通信端末２０は、例えばＡｎｄｒｏｉｄ  ＯＳのようなオペレーティング・システムが提供する実行環境下で、各種のアプリケーションを実行させることができる。また、多機能情報端末としての情報通信端末２０をインターネットに接続して、例えばＡｎｄｒｏｉｄマーケットのようなダウロード・サイト４０から、さまざまなアプリケーションを取得することができる。
【００３３】
情報通信端末２０が、画像表示装置１０に提供する画像情報として、内蔵カメラを用いて撮影した画像、ワンセグ・チューナーで受信した放送画像、ネットワークから受信したストリーミング画像、記憶部（装填したメモリカードを含む）から再生する画像などを挙げることができる。本実施形態では、情報通信端末２０は、画像表示装置１０側に固有の特性情報に基づいて必要な処理を画像情報に適用してから、画像表示装置１０に送出する。情報通信端末２０は、画像表示装置１０の特性情報を、画像表示装置１０自体から直接取得する場合がある他、インターネット上の特性情報管理サーバー５０に照会して取得する場合も想定される。特性情報に基づく画像提供処理の詳細については後述に譲る。
【００３４】
図２には、頭部装着型の画像表示装置１０の内部構成例を示している。以下、各部について説明する。
【００３５】
制御部２０１は、ＲＯＭ（Ｒｅａｄ  Ｏｎｌｙ  Ｍｅｍｏｒｙ）２０１ＡやＲＡＭ（Ｒａｎｄｏｍ  Ａｃｃｅｓｓ  Ｍｅｍｏｒｙ）２０１Ｂを備えている。ＲＯＭ２０１Ａ内には、制御部２０１で実行するプログラム・コードや各種データを格納している。制御部２０１は、ＲＡＭ２０１Ｂへロードしたプログラムを実行することで、画像の表示制御を始め、当該装置１０全体の動作を統括的にコントロールする。ＲＯＭ２０１Ａに格納するデータとして、当該装置１０を識別する識別情報や、虚像光学部２１０の光学特性など装置毎に固有の特性情報、光学特性に応じて画像信号を補正する際に使用する補正情報（キャリブレーション情報や補正係数、補正アルゴリズムを含む）、画像補正に使用する補正情報（ガンマー補正に使用するガンマー補正係数や、ディザー処理に使用するディザー係数、補正アルゴリズムを含む）などを挙げることができる。また、後述する画像表示装置１０外の周辺環境に関する環境情報を取得する各種環境センサーや、画像表示装置１０を利用するユーザーの状態に関する状態情報を取得する各種状態センサーを画像表示装置１０内に装備する場合には、これらのセンサーの出力情報を補正する際に使用する補正情報も、ＲＯＭ２０１Ａ内に格納しておいてもよい。
【００３６】
入力操作部２０２は、キーやボタン、スイッチなど、ユーザーが入力操作を行う１以上の操作子を備え、操作子を介したユーザーの指示を受け付けて、制御部２０１に出力する。また、入力操作部２０２は、リモコン受信部２０３で受信したリモコン・コマンドからなるユーザーの指示を同様に受け付けて、制御部２０１に出力する。
【００３７】
環境情報取得部２０４は、画像表示装置１０外の周辺環境に関する環境情報を取得して、制御部２０１に出力する。環境情報取得部２０４は、環境情報として、例えば、環境光強度、音響強度、位置若しくは場所、温度、天気、時刻、周囲画像などを取得する。また、環境情報取得部２０４は、これらの環境情報を取得するために、光量センサーや、マイクロフォン、ＧＰＳ（Ｇｌｏｂａｌ  Ｐｏｓｉｔｉｏｎｉｎｇ  Ｓｙｓｔｅｍ）センサー、温度センサー、湿度センサー、時計、イメージ・センサー（カメラ）、放射線センサーなどの各種の環境センサー（いずれも図２には図示しない）を備えていてもよい。あるいは、画像表示装置１０自体は環境センサーを備えず、環境センサーを装備する外部の装置（図示しない）から環境情報取得部２０４が環境情報を取得するように構成してもよい。取得された環境情報は、当該装置１０の設置場所などに依存する値であり、特性情報として、例えばＲＡＭ２０１Ｂ内に一時的に保持される。
【００３８】
状態情報取得部２０５は、画像表示装置１０を利用するユーザーの状態に関する状態情報を取得して、制御部２０１に出力する。状態情報取得部５０５は、状態情報として、例えば、ユーザーの作業状態（ユーザーの装着の有無）や、ユーザーの行動状態（装着中のユーザーの頭部の姿勢、歩行などの移動、瞼の開閉状態）、精神状態（内部画像を観察中に没頭若しくは集中しているかなどの興奮度、覚醒度、感情や情動など）、さらには生理状態を取得する。また、状態情報取得部２０５は、これらの状態情報をユーザーから取得するために、機械スイッチなどからなる装着センサーや、ジャイロ・センサー、加速度センサー、速度センサー、圧力センサー、体温センサー、発汗センサー、筋電センサー、眼電センサー、脳波センサーなどの各種の状態センサー（いずれも図２には図示しない）を備えていてもよい。あるいは、画像表示装置１０自体は状態センサーを備えず、状態センサーを装備する外部の装置（図示しない）から状態情報取得部２０５が状態情報を取得するように構成してもよい。取得された状態情報は、当該装置１０を装着したユーザーの個人差に基因する特性情報として、例えばＲＡＭ２０１Ｂ内に一時的に保持される。
【００３９】
システム内通信部２０６は、画像表示システム１内で、情報通信端末２０など他の装置との通信処理、並びに、通信信号の変復調並びに符号化復号処理を行なう。例えば、システム内通信部２０６は、表示出力するための画像信号を情報通信端末２０から受信する。システム内通信部２０６で受信し復調及び復号処理された画像あるいはその他の受信データは制御部２０１に供給される。また、制御部２０１は、情報通信端末２０などシステム１内の他の装置への送信データを、システム内通信部２０６を介して送出する。
【００４０】
システム内通信部２０６の構成は任意である。例えば、画像表示システム１内の通信路３０で使用する通信規格に応じて、システム内通信部２０６が構成され、情報通信端末２０と双方向通信を行なうことができる。通信規格は、有線、無線のいずれの形態であってもよい。ここで言う通信規格として、ＭＨＬやＵＳＢ、ＨＤＭＩ（登録商標）、無線ＬＡＮ、Ｂｌｕｅｔｏｏｔｈ（登録商標）通信、赤外線通信などを挙げることができる。
【００４１】
映像処理部２０７は、制御部２０１から出力される画像信号に対して画質補正などの信号処理をさらに行なうとともに、表示パネル２０９の画面に合わせた解像度に変換する。そして、表示駆動部２０８は、表示パネル２０９の画素を行毎に順次選択するとともに線順次走査して、信号処理された画像信号に基づく画素信号を供給する。
【００４２】
表示パネル２０９は、例えば有機ＥＬ素子や液晶ディスプレイなどのマイクロ・ディスプレイで構成される。虚像光学部２１０は、表示パネル２０９の表示画像を拡大投影して、ユーザーには拡大虚像として観察させる。なお、図２中では、図面の簡素化のため、表示パネル２０９並びにこれに対応する虚像光学部２１０をそれぞれ１つしか描いていないが、画像表示装置１０が両眼式のヘッド・マウント・ディスプレイである場合には、左右の眼毎に表示パネル２０９と虚像光学部２１０が配設される。
【００４３】
画像表示装置１０が遮蔽型のヘッド・マウント・ディスプレイの場合、虚像光学部２１０は接眼光学レンズで構成される。光学レンズは倍率色収差があるため、観察者が観察する拡大虚像に色むらを発生させる原因となる。表示パネル２０９に供給するＲ、Ｇ、Ｂ各色の画像信号に対して個別に補正を行なうという電気的な処理によって、色むらをキャンセルすることができる（前述）。補正処理の際に用いるＲ、Ｇ、Ｂの色毎の補正係数は、虚像光学部２１０として用いる光学レンズに固有の値であり、本実施形態では、画像表示装置１０の特性情報として扱う。また、この種の特性情報には、補正係数の他、補正のためのキャリブレーション情報や補正アルゴリズムを含めることができる。
【００４４】
また、画像表示装置１０が透過型のヘッド・マウント・ディスプレイの場合、虚像光学部２１０は回折光学素子などで構成される。回折光学素子は入射角に応じて回折効率が変化するため、観察者が観察する拡大虚像に色むらを発生させる原因となる。表示パネル２０９に供給するＲ、Ｇ、Ｂ各色の画像信号に対して個別に補正を行なうという電気的な処理によって、色むらをキャンセルすることができる（前述）。補正処理の際に用いるＲ、Ｇ、Ｂの色毎の補正係数は、虚像光学部２１０として用いる光学レンズに固有の値であり、本実施形態では、画像表示装置１０の特性情報として扱う。また、この種の特性情報には、補正係数の他、補正のためのキャリブレーション情報や補正アルゴリズムを含めることができる。
【００４５】
画像表示装置１０が、遮光型又は透過型のいずれのヘッド・マウント・ディスプレイであるにせよ、虚像光学部２１０が持つ光学特性に基因した補正情報（キャリブレーション情報や補正係数、補正アルゴリズムを含む）は、特性情報としてＲＯＭ２０１Ｂ内に格納されている。
【００４６】
また、表示パネル２０９として用いられるマイクロ・ディスプレイの駆動方法に適合するとともに、自然な表示画像となるように、画像信号を補正又は調整する各種の画像補正処理が行なう必要がある。図１７には、この種の画像補正処理の手順を模式的に示している。以下、各処理について説明しておく。コントラスト調整１７０１は、色の明暗の差異を変化させる処理である。ブライトネス調整１７０２は、輝度すなわち明暗を調整する処理である。ガンマー補正処理１７０３、１７０４は、表示系の違いやユーザーの好みに応じたガンマー曲線による黒領域並びに白領域をそれぞれ調整する処理である。ディザー処理１７０５は、階調調整であり、例えば画素の周りの画素を使って見かけ上の階調表現を現実のビット数（８ビット）よりも豊かにする。ブランキング時間調整１７０６は、フレーム間のブランキング（画像を出力していない）時間を調整する処理であり、ブランキング時間に黒信号を挿入する。画像反転処理１７０７は、入力画像を鏡面処理して鏡面画像を生成する。
【００４７】
一般には、上記処理１７０１〜１７０７のうち少なくとも１つは実施される。図１に示した画像表示システム１に当て嵌めると、上記処理１７０１〜１７０７などの画像補正処理を、画像表示装置１０内の制御部２０１、映像処理部２０７、又は表示駆動部２０８のいずれかで行なうことも可能である。しかしながら、とりわけガンマー処理１７０３、１７０４やディザー処理１７０５は計算負荷が大きく、画像表示装置１０内で行なう負担は過大になる。これに対し、画像表示装置１０に画像情報を提供する情報通信端末２０側で上記処理１７０１〜１７０７などの画像補正処理を行なう方法も考えられる。
【００４８】
図３には、情報通信端末２０としての多機能携帯端末の内部構成例を示している。以下、各部について説明する。
【００４９】
ＣＰＵ（Ｃｅｎｔｒａｌ  Ｐｒｏｃｅｓｓｉｎｇ  Ｕｎｉｔ）３０１は、ＲＯＭ３０２に記憶されているプログラム、又は記憶部１００４からＲＡＭ３０３にロードされたプログラムを実行する。ＲＡＭ３０３には、ＣＰＵ３０１が各種の処理を実行する上において必要なデータなども適宜記憶される。
【００５０】
本実施形態では、ＣＰＵ３０１が実行するアプリケーションとして、内蔵カメラを用いた動画又は静止画の撮影処理、ワンセグ放送の受信処理、ネットワーク経由でのストリーミング画像の受信処理、記憶部３０４に蓄積した画像の再生処理、ナビゲーション情報の表示処理、画像表示装置１０などシステム１内の他の機器への画像情報の送信処理、画像データなど画像表示装置１０への送信情報を画像表示装置１０の特性情報に基づいて補正などの処理などをそれぞれ行なうアプリケーションが挙げられる。また、２以上の処理機能を併せた単一のアプリケーションが存在することも想定される。
【００５１】
画像表示装置１０への送信情報に対する補正など処理を、ＣＰＵ２０１など情報通信端末２０側のリソースを使わず、画像表示装置１０内部で実行する方法もある。本実施形態において、この種の処理に情報通信端末２０側のリソースを使うのは、スマートフォンなどの多機能情報端末は、最先端の敗戦プロセス技術で製造された、低消費電力で高い演算能力を持つプロセッサーを搭載しており、画像補正などの高負荷の処理に適していると考えられるからである。
【００５２】
なお、ＣＰＵ３０１が実行するプログラムは、例えば、Ａｎｄｒｏｉｄ  ＯＳのようなオペレーティング・システムや、オペレーティング・システムが提供する実行環境下で動作するアプリケーションが挙げられる。また、実行するアプリケーションは、当該装置２０にプリインストールされている他、Ａｎｄｒｏｉｄマーケットのようなダウロード・サイトから取得することができる。
【００５３】
ＣＰＵ３０１、ＲＯＭ３０２、及びＲＡＭ３０３は、バス３０４を介して相互に接続されている。また、バス３０４には、記憶部３０５、携帯電話送受信部３０６、システム内通信部３０７、ワンセグ・チューナー部３０８、操作部３０９、ＬＥＤ（Ｌｉｇｈｔ  Ｅｍｉｔｔｉｎｇ  Ｄｉｏｄｅ）３１０、バイブレーター３１１、音声入出力制御部３１２、ディスプレイ３１５、撮像部３１６などが接続されている。
【００５４】
記憶部３０５は、ＳＳＤ（Ｓｏｌｉｄ  Ｓｔａｔｅ  Ｄｒｉｖｅ）やＨＤＤ（Ｈａｒｄ  Ｄｉｓｃ  Ｄｒｉｖｅ）などの比較的大容量の記憶装置で構成され、ＣＰＵ３０１で実行するアプリケーションや、ワンセグ・チューナー部３０８で受信したワンセグ放送コンテンツ、撮像部３１６で撮影した動画や静止画などの画像コンテンツなど、各種データを格納するのに用いられる。また、図面の簡素化のため図示を省略したが、外部から装填されるメモリカードも記憶部３０５に含まれるものとする。
【００５５】
携帯電話送受信部３０６は、完全に機能するセルラー無線送受信機として、例えばＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）などの標準規格を含む任意の既知の標準規格に従って動作することができる。
【００５６】
外部ネットワーク通信部３１７は、インターネットなどの画像表示システム１外のネットワークとの接続を行なう。外部ネットワーク通信部３１７は、例えばＷｉ−Ｆｉなどの無線ＬＡＮにより最寄りのアクセスポイント（図示しない）を介して、インターネットに接続する。勿論、外部ネットワーク通信部３１７は、無線ではなく、有線ＬＡＮを使用してもよい。また、上記の携帯電話送受信部３０６が外部ネットワーク通信部３１７を兼ねていてもよい。
【００５７】
システム内通信部３０７は、画像表示システム１内で通信路３０を介した通信処理を行なう。システム内通信部３０７の構成は任意である。例えば、画像表示システム１内の通信路３０で使用する通信規格に応じて、システム内通信部３０７が構成され、画像表示装置１０と双方向通信を行なうことができる。通信規格は、有線、無線のいずれの形態であってもよい。ここで言う通信規格として、ＭＨＬやＵＳＢ、ＨＤＭＩ（登録商標）、無線ＬＡＮ、Ｂｌｕｅｔｏｏｔｈ（登録商標）通信、赤外線通信などを挙げることができる。あるいは、外部ネットワーク通信部３１７がシステム内通信部３０７としても機能し、携帯電話網を介してシステム内通信を行なうようにしてもよい。
【００５８】
ワンセグ・チューナー部３０８は、地上ディジタル・テレビ放送の１セグメントが割り当てられたＱＶＧＡ（Ｑｕａｒｔｅｒ  Ｖｉｄｅｏ  Ｇｒａｐｈｉｃ  Ａｒｒａｙ）の放送信号を受信する。
【００５９】
操作部３０９は、ボタン類やジョグダイヤルなどにより構成され、当該装置２０のユーザーからの操作を受け付ける。ユーザー操作としては、電話番号入力や各種設定の他、アプリケーションの起動や画像表示装置１０への送信指示などを挙げることができる。ＬＥＤ３１０は、例えば、ユーザーに情報を提示する際、当該情報機器にユーザーの注意を向けさせるために発光する。また、バイブレーター３１１は、電話若しくはメールの着信時などにユーザーの注意を向けさせるための振動を当該装置２０本体に加える。
【００６０】
マイクロフォン３１３は、ユーザーの音声を電気オーディオ信号に変換し、スピーカー３１４は、オーディオ信号を、ユーザーが聴くことのできる可聴信号に変換する。音声入出力制御部３１２は、基本的なアナログ出力信号をスピーカー３１４に供給するとともに、マイクロフォン３１３からアナログ・オーディオ入力を受け入れる。
【００６１】
ディスプレイ３１５は、通常の携帯電話として使用するときには、オペレータがダイヤルされた数字やイメージ、呼出し状況、メニュー・オプション、及び他のサービス情報を見ることを可能にする。また、撮像部３１６による撮影時には、ディスプレイ３１５をスルー画像や撮影画像の表示再生出力に利用することができる。
【００６２】
撮像部３１６は、光学系及びＣＣＤ（Ｃｈａｒｇｅ  Ｃｏｕｐｌｅｄ  Ｄｅｖｉｃｅ）などのイメージ・センサーからなる内蔵カメラと、内蔵カメラによる撮像信号を処理するイメージ・プロセッサー（いずれも図示しない）を備えている。光学系は単一レンズ又は複数のレンズからなり、イメージ・センサーは、光学系によって結像されたイメージを取り込む。イメージ・プロセッサーは、イメージ・センサーによって取り込まれた圧縮画像データ又はＲＡＷ画像データを、記憶部３０５への保管、ディスプレイ３１５への表示出力、又は携帯電話送受信部３０６、システム内通信部３０７による送信のために処理する。
【００６３】
なお、画像表示装置１０が市場に出荷される製品の形態として、携帯電話機能搭載ヘッド・マウント・ディスプレイも想定される。携帯電話機能搭載ヘッド・マウント・ディスプレイは、概念的には、画像表示装置１０と情報通信端末２０を単一の装置として構成したものである。
【００６４】
図４には、携帯電話機能搭載ヘッド・マウント・ディスプレイの内部構成例を示している。図３に示した装置において、ディスプレイ３１５の表示面の前方に虚像光学部２１０を配置した構成であり、虚像光学部２１０は表示画像を拡大投影し、ユーザーには拡大虚像として観察される。また、虚像光学部２１０の光学特性に基因する画像の色むら補正を行なうための補正情報（キャリブレーション情報、補正係数、補正アルゴリズム）や、その他の装置固有の特性情報、装置を識別する装置ＩＤは、ＲＯＭ３０２内に格納される。
【００６５】
既に述べたように、画像表示装置１０が、遮光型又は透過型のいずれのヘッド・マウント・ディスプレイであるにせよ、虚像光学部２１０が持つ光学特性に基因して、観察者が観察する拡大虚像に色むらが発生する。この色むらは、表示パネル２０９に供給するＲ、Ｇ、Ｂ各色の画像信号に対して個別に補正を行なうという電気的な処理によって、色むらをキャンセルすることができる。
【００６６】
色むらの補正処理の演算量は膨大である。例えば、透過型のヘッド・マウント・ディスプレイの場合には、水平方向の画素毎に算出された３行×１列のマトリックスからなる補正係数を、各画素に乗算しなければならない（例えば、特許文献２を参照のこと）。
【００６７】
また、表示パネル２０９として用いられるマイクロ・ディスプレイの駆動方法に適合するとともに、自然な表示画像となるように、画像信号を補正又は調整する各種の画像補正処理が行なう必要がある（前述並びに図１７を参照のこと）。この種の画像補正は、例えばガンマー補正やディザー処理などの演算負荷の高い処理を含んでいる。
【００６８】
そこで、本実施形態では、情報通信端末２０が画像表示装置１０の虚像光学部２１０における補正情報や画像補正のための補正情報を取得し、低消費電力で高い演算能力を持つプロセッサーを搭載する情報通信端末２０側で色むら補正の演算処理や画像補正を行なってから、補正後の画像情報を画像表示装置１０に提供するようにしている。
【００６９】
なお、情報通信端末２０は、ＣＰＵ３０１がアプリケーションを実行することで画像の補正処理を行なうようにしてもよいし、画像補正処理用の専用ハードウェアを装備していてもよい。
【００７０】
例えば、図５に示すように、画像表示装置１０は、ＲＯＭ２０１Ａ内に補正係数を格納しており、情報通信端末２０に画像を要求する際には、ＲＯＭ２０１Ａから読み出した補正情報（虚像光学部２１０で発生する色むらを補正するためのキャリブレーション情報や補正係数、補正アルゴリズム、あるいは画像補正に使用する補正係数（ガンマー補正係数やディザー係数など）や補正アルゴリズムを含む）を、通信路３０を介して送信する（参照番号５０１）。これに対し、情報通信端末２０は、受信した補正情報に従って色むら補正や画像補正の演算を行なった後に、画像情報を通信路３０経由で画像表示装置１０に送信する（参照番号５０２）。画像表示装置１０側では、受信した画像情報を表示パネル２０９に表示し、虚像光学部２１０によりその拡大虚像を観察者に観察させる。この拡大虚像から色むらはキャンセルされている。また、表示パネル２０９として用いられるマイクロ・ディスプレイの駆動方法に適合した画像信号が提供され、表示パネル２０９からより自然な画像が表示されることになる。
【００７１】
図６には、画像表示システム１内で情報通信端末２０から画像表示装置１０へ画像を提供する際の処理シーケンス例を示している。図示の例では、画像表示装置１０と情報通信端末２０は、システム内通信路３０上で接続が既に確立しているものとする。
【００７２】
情報通信端末２０は、画像表示装置１０から画像要求を受信すると（ＳＥＱ６０１）、画像表示装置１０に対して補正情報を要求する（ＳＥＱ６０２）。
【００７３】
画像表示装置１０の例えば出荷時において、虚像光学部２１０で発生する色むらを補正するためのキャリブレーション情報や補正係数、補正アルゴリズム、あるいは画像補正に使用する補正係数（ガンマー補正係数やディザー係数など）や補正アルゴリズムなどの補正情報がＲＯＭ２０１Ａ内に書き込まれる。画像表示装置１０は、補正情報の要求に応答して、ＲＯＭ２０１Ａから補正情報を読み出して（ＳＥＱ６０３）、情報通信端末２０に送信する（ＳＥＱ６０４）。
【００７４】
そして、情報通信端末２０は、受信した補正情報を用いて、要求されている画像に対して像光学部２１０で発生する色むらを補正するための補正処理、あるいはマイクロ・ディスプレイの駆動方法に適合した画像信号にするための補正処理を行なってから（ＳＥＱ６０５）、画像表示装置１０に送信する（ＳＥＱ６０６）。
【００７５】
色むらを補正するため補正情報（キャリブレーション情報、補正係数、補正アルゴリズム）は、虚像光学部２１０で使用する光学レンズや回折光学素子の光学特性に基因する画像表示装置１０に固有の特性情報である。また、画像補正のための補正情報（使用する補正係数（ガンマー補正係数やディザー係数など）や補正アルゴリズム）は、表示パネル２０９で使用されるマイクロ・ディスプレイに対応した（言い換えれば、製品型番に対応した）特性情報である。情報通信端末２０は、異なる画像表示装置から画像要求された場合であっても、その都度、色むらを補正するため補正情報又は画像補正のための補正情報を受け取ることができるので、いかなる画像表示装置に対しても、色むらの発生しない画像を常に提供することができる。
【００７６】
なお、図４に示したように画像表示装置１０と情報通信端末２０を単一の装置とした、携帯電話機能搭載ヘッド・マウント・ディスプレイの場合には、例えば、図７に示すように、画像表示を行なうアプリケーションを実行中のＣＰＵ３０１は、虚像光学部２１０の光学特性に基因する色むらを補正するための補正情報（キャリブレーション情報、補正係数、補正アルゴリズム）、又は、画像補正に使用する補正情報（ガンマー補正係数やディザー係数などの補正係数や補正アルゴリズム）を、バス３０４経由でＲＯＭ３０２から読み出して（参照番号７０１）、画像に対して色むら補正演算を行なう。そして、補正後の画像をバス３０４経由でディスプレイ３１５から表示出力する（参照番号７０２）。この場合も、虚像光学部２１０により観察者に観察させる拡大虚像から、色むらはキャンセルされる。また、表示パネル２０９として用いられるマイクロ・ディスプレイの駆動方法に適合した画像信号が提供され、表示パネル２０９からより自然な画像が表示されることになる。
【００７７】
図５並びに図６に示した処理シーケンスでは、画像表示装置１０の虚像光学部２１０に対応した補正情報を、画像表示装置１０内で管理することを前提としている。これに対し、虚像光学部２１０の補正情報（キャリブレーション情報、補正係数、補正アルゴリズム）などの装置毎に固有の特性情報や、画像補正に使用する補正情報（ガンマー補正係数やディザー係数などの補正係数や補正アルゴリズム）などの製品型番毎に固有の特性情報を、例えばインターネット上の特性情報管理サーバー５０などで集中管理する場合も想定される。
【００７８】
図８には、画像表示装置１０の補正情報を特性情報管理サーバー５０で集中管理する場合の動作例を示している。画像表示装置１０の製造業者は、装置毎に固有の補正情報あるいは製品型番毎に固有の補正情報を、出荷時にＲＯＭ２０１Ａ内に書き込むのではなく、特性情報管理サーバー５０上にアップしておく（参照番号８０１）。そして、特性情報管理サーバー５０は、受け取った補正情報を対応する画像表示装置１０の装置識別情報（装置ＩＤ）あるいは製品型番と紐付けして管理する。
【００７９】
画像表示装置１０は、情報通信端末２０に画像を要求する際には、ＲＯＭ２０１Ａから読み出した装置ＩＤ又は製品型番を、通信路３０を介して送信する（参照番号８０２）。情報通信端末２０は、画像表示装置１０から取得した装置ＩＤ又は製品型番を特性管理サーバー５０に照会して（参照番号８０３）、該当する補正情報を取得することができる（参照番号８０４）。そして、情報通信端末２０は、画像表示装置１０に送信する画像に対して色むら補正又は画像補正の演算を行なった後に、画像情報を通信路３０経由で画像表示装置１０に送信する（参照番号８０５）。画像表示装置１０側では、受信した画像情報を表示パネル２０９に表示し、虚像光学部２１０によりその拡大虚像を観察者に観察させる。この拡大虚像から色むらはキャンセルされている。また、表示パネル２０９として用いられるマイクロ・ディスプレイの駆動方法に適合した画像信号が提供され、表示パネル２０９からより自然な画像が表示されることになる。
【００８０】
図９には、情報通信端末２０が、特性情報管理サーバー５０を利用して、画像表示装置１０へ補正後の画像を提供する際の処理シーケンス例を示している。
【００８１】
情報通信端末２０は、通信路３０に適用される通信プロトコルに従って、機器発見や認証などの手順を経て、画像表示装置１０との間の接続を確立する（ＳＥＱ９０１）。そして、情報通信端末１０は、接続処理を通じて、画像表示装置１０の装置ＩＤや製品型番を取得する。
【００８２】
情報通信端末２０は、接続中の画像表示装置１０から画像要求を受信すると（ＳＥＱ９０２）、画像表示装置１０の装置ＩＤや製品型番を特性情報管理サーバー５０に送信して、色むら補正や画像補正の補正情報を照会する（ＳＥＱ９０３）。特性情報管理サーバー５０は、装置ＩＤや製品型番に対応する補正情報を保持している場合には、これを返信する（ＳＥＱ９０４）。
【００８３】
情報通信端末２０は、特性情報管理サーバー５０から取得した補正情報を用いて、画像表示装置１０が要求している画像に対して色むら補正や画像補正の補正処理を行なう（ＳＥＱ９０５）。そして、情報通信端末２０は、補正後の画像を画像表示装置１０に送信する（ＳＥＱ９０６）。
【００８４】
色むら補正の補正情報（キャリブレーション情報、補正係数、補正アルゴリズム）は、虚像光学部２１０で使用する光学レンズや回折光学素子の光学特性に基因する画像表示装置１０に固有の情報である。また、画像補正の補正情報ガンマー補正係数やディザー係数などの補正係数や補正アルゴリズム）は、同じマイクロ・ディスプレイを使用する同一製品（すなわち、同一の製品型番）毎に固有の情報である。情報通信端末２０は、異なる画像表示装置から画像要求された場合であっても、その都度、特性情報管理サーバー５０に照会して装置毎又は製品型番毎の補正情報を受け取ることができるので、いかなる画像表示装置に対しても、色むらの発生しない画像やマイクロ・ディスプレイの駆動方法に適合した自然な画像を常に提供することができる。
【００８５】
また、図１０には、図４に示したように画像表示装置１０と情報通信端末２０を単一の装置とした、携帯電話機能搭載ヘッド・マウント・ディスプレイの補正情報を特性情報管理サーバー５０で集中管理する場合の動作例を示している。ヘッド・マウント・ディスプレイの製造業者は、装置毎に固有の補正情報あるいは製品型番毎に固有の補正情報を、出荷時にＲＯＭ３０２内に書き込むのではなく、特性情報管理サーバー５０上にアップしておく（参照番号１００１）。そして、特性情報管理サーバー５０は、受け取った補正情報を対応する画像表示装置１０の装置識別情報（装置ＩＤ）あるいは製品型番と紐付けして管理する（参照番号１００１）。
【００８６】
画像表示を行なうアプリケーションを実行中のＣＰＵ３０１は、ＲＯＭ２０１Ａから当該装置の装置ＩＤ又は製品型番を読み出と（参照番号１００２）、インターネット上の特性情報管理サーバー５０に装置ＩＤ又は製品型番を送信して（参照番号１００３）、虚像光学部２１０の光学特性に基因する色むらなどを補正するための補正情報（キャリブレーション情報、補正係数、補正アルゴリズム）又は画像補正に使用する補正情報（ガンマー補正係数やディザー係数などの補正係数や補正アルゴリズム）を照会する（参照番号１００４）。そして、ＣＰＵ３０１は、取得した補正情報を用いて色むら補正演算を行ない、ディスプレイ３１５から画像を表示出力することになる（参照番号１００５）。この場合も、虚像光学部２１０により観察者に観察させる拡大虚像から、色むらはキャンセルされる。また、表示パネル２０９として用いられるマイクロ・ディスプレイの駆動方法に適合した画像信号が提供され、表示パネル２０９からより自然な画像が表示されることになる。
【００８７】
色むら補正の補正情報は、主に虚像光学部２１０の光学特性に基づいて算出される、画像表示装置１０に固有の特性情報である。また、ガンマー補正やディザーなどの画像補正の補正情報は、同じマイクロ・ディスプレイを使用する同一製品（すなわち、同一の製品型番）毎に固有の特性情報である。さらに本実施形態では、画像表示装置１０は、虚像光学部２１０の光学特性に起因する色むら補正の補正情報や真衣録・ディスプレイに対応する画像補正の補正情報の他に、光量センサーや、マイクロフォン、ＧＰＳセンサー、温度センサー、湿度センサー、時計、イメージ・センサー（カメラ）などの環境センサーから取得した装置１０周辺の環境情報や、体温センサー、発汗センサー、筋電センサー、眼電センサー、脳波センサーなどのユーザーの作業状態や行動状態、精神状態、生理状態などユーザーの状態を計測する状態センサーから取得した状態情報ための補正情報（キャリブレーション情報、補正係数、補正アルゴリズム）、並びに環境センサーや状態センサーのセンサー出力情報を補正するための補正情報（キャリブレーション情報、補正係数、補正アルゴリズム）も、画像表示装置１０に固有の特性情報として扱えるように構成されている。
【００８８】
したがって、情報通信端末２０側でも、以下で例示するように、さまざまな種類の特性情報に対応した画像情報のサービスを提供することができる。
【００８９】
（１）撮像部３１６で撮影した動画又は静止画を、送信先の画像表示装置１０側の環境情報や状態情報に応じた装飾を施すなどの画像処理を行なってから、画像表示装置１０に送信する。
（２）ワンセグ・チューナー部３０８で受信したワンセグ放送コンテンツに対して、送信先の画像表示装置１０側の環境情報や状態情報に応じた装飾を施すなどの画像処理を行なってから、画像表示装置１０に転送する。
（３）外部ネットワーク通信部３１７がネットワーク経由で受信したストリーミング画像に対して、送信先の画像表示装置１０側の環境情報や状態情報に応じた装飾を施すなどの画像処理を行なってから、画像表示装置１０に転送する。
（４）ＣＰＵ３０１が実行するナビゲーション・アプリケーションが作成したナビゲーション情報に対して、送信先の画像表示装置１０側の環境情報や状態情報に応じた装飾を施すなどの画像処理を行なってから、画像表示装置１０に転送する。ナビゲーション情報はさまざまなカテゴリーに分類されるが、例えば気温や湿度など画像表示装置１０が設置されている場所の環境情報、あるいは、画像表示装置１０を装着しているユーザーの精神状態や健康状態に応じたナビゲーション情報の重み付け選択処理を行なう。
【００９０】
例えば、図１１Ａに示すように、画像表示装置１０は、各種の環境センサーからなる環境情報取得部２０４で取得した環境情報や、各種の状態センサーからなる状態情報取得部２０５で取得したユーザーの状態情報を、当該装置１０に固有の特性情報として、ＲＡＭ２０１Ｂ内に一時的に格納する（参照番号１１０１）。また、画像表示装置１０は、環境センサーや状態センサーを画像表示装置１０内に装備する場合には、これらのセンサーの出力情報を補正する際に使用する補正情報（キャリブレーション情報や補正係数、補正アルゴリズムを含む）を、特性情報としてＲＯＭ２０１Ａ内に格納している。
【００９１】
そして、画像表示装置１０は、情報通信端末２０に画像を要求する際には、ＲＡＭ２０１Ｂから環境センサーや状態センサーの出力情報からなる特性情報を読み出して、通信路３０を介して送信する（参照番号１１０２）。また、画像表示装置１０は、必要に応じて、センサーの出力情報を補正する際に使用する補正情報からなる特性情報も、ＲＯＭ２０１Ａから読み出して送信する。
【００９２】
これに対し、情報通信端末２０は、要求された画像を、受信した特性情報に応じて画像処理を行ない、さらに必要に応じて画像に対する補正処理を行なった後に、通信路３０を介して画像表示装置１０に送信する（参照番号１１０３）。この結果、画像表示装置１０側では、特性情報に応じて処理された画像を表示し、ユーザーは、現在自分が置かれている環境や自分の状態に応じた画像を利用することができる。例えば、上述したような画像情報のサービス（１）〜（４）を提供することができる。
【００９３】
図１２には、画像表示システム１内で情報通信端末２０から画像表示装置１０へ画像を提供する際の処理シーケンス例を示している。図示の例では、画像表示装置１０と情報通信端末２０は、システム内通信路３０上で接続が既に確立しているものとする。
【００９４】
画像表示装置１０側では、所定のタイミングで、環境情報取得部２０４が環境情報を取得するとともに、状態情報取得部２０５が状態情報を取得し、特性情報としてＲＡＭ２０１Ｂ内に書き込む（ＳＥＱ１２０１）。
【００９５】
情報通信端末２０は、画像表示装置１０から画像要求を受信すると（ＳＥＱ１２０２）、画像表示装置１０に対して特性情報を要求する（ＳＥＱ１２０３）。
【００９６】
画像表示装置１０は、特性情報の要求に応答して、ＲＡＭ２０１Ｂから特性情報を読み出して（ＳＥＱ１２０４）、情報通信端末２０に送信する（ＳＥＱ１２０５）。また、画像表示装置１０は、必要に応じて、センサーの出力情報を補正する際に使用する補正情報からなる特性情報も、ＲＯＭ２０１Ａから読み出して送信する。
【００９７】
そして、情報通信端末２０は、受信した特性情報を用いて、要求されている画像に対して画像表示装置１０側の特性情報に適合させた処理を行なった後に（ＳＥＱ１２０６）、処理後の画像を画像表示装置１０に送信する（ＳＥＱ１２０７）。
【００９８】
特性情報は、各種の環境センサーからなる環境情報取得部２０４で取得した環境情報や、各種の状態センサーからなる状態情報取得部２０５で取得したユーザーの状態情報である。また、センサーの出力情報を補正する際に使用する補正情報も特性情報に含まれるので、情報通信端末２０側では、画像表示装置１０から受信した環境情報や状態情報に対して、必要に応じてキャリブレーションや補正を行なうことができる。情報通信端末２０は特性情報に応じて処理を行なった画像を提供するので、画像表示装置１０側では特性情報に応じて処理された画像を表示し、ユーザーは、現在自分が置かれている環境や自分の状態に応じた画像を利用することができる。例えば、上述したような画像情報のサービス（１）〜（４）を提供することができる。
【００９９】
また、図１１Ｂには、図４に示したように画像表示装置１０と情報通信端末２０を単一の装置とした、携帯電話機能搭載ヘッド・マウント・ディスプレイの場合の、状態情報や環境情報に応じた画像提供サービスの変形例を示している。各種の環境センサーからなる環境情報取得部２０４で取得した環境情報や、各種の状態センサーからなる状態情報取得部２０５で取得したユーザーの状態情報を、当該装置１０に固有の特性情報として、ＲＡＭ２０１Ｂ内に一時的に格納する（参照番号１１１１）。また、環境センサーや状態センサーの出力情報を補正する際に使用する補正情報（キャリブレーション情報や補正係数、補正アルゴリズムを含む）を、特性情報としてＲＯＭ２０１Ａ内に格納している。
【０１００】
そして、画像表示を行なうアプリケーションを実行中のＣＰＵ３０１は、ＲＡＭ２０１Ｂから環境センサーや状態センサーの出力情報からなる特性情報をバス３０４経由で読み出す（参照番号１１１２）。また、ＣＰＵ３０１は、必要に応じて、センサーの出力情報を補正する際に使用する補正情報からなる特性情報も、バス３０４経由でＲＯＭ２０１Ａから読み出して送信する。
【０１０１】
次いで、ＣＰＵ３０１は、要求された画像を、受信した特性情報に応じて画像処理を行ない、さらに必要に応じて画像に対する補正処理を行なった後に、バス３０４経由でディスプレイ３１５から表示出力する（参照番号１１１３）。この結果、ディスプレイ３１５では、特性情報に応じて処理された画像を表示し、ユーザーは、現在自分が置かれている環境や自分の状態に応じた画像を利用することができる。例えば、上述したような画像情報のサービス（１）〜（４）を提供することができる。
【０１０２】
なお、本明細書の開示の技術は、以下のような構成をとることも可能である。
【０１０３】
（１）画像データを送受信可能な情報通信端末に接続される画像表示装置において、
画像を表示する表示部と、
前記表示部から出力される画像を光学処理する光学系、又は、前記画像表示装置又は前記画像表示装置の使用者に関する情報を検出するセンサーと、
前記表示部、前記光学系、又は前記センサーに関する特性情報を保持する特性情報保持部と、
前記情報通信端末に前記特性情報を送信する送信部と、前記情報通信端末側で前記特性情報に基づいて画像処理された画像又は情報を受信する受信部を有し、前記画像処理された画像。
（２）前記センサーは、加速度センサー、ＧＰＳセンサー、ジャイロ・センサー、速度センサー、圧力センサー、温度センサー、発汗センサー、筋電センサー、眼電センサー、又は放射線センサーのうち少なくとも１つであり、
前記表示部、前記光学系、又は前記センサーに関する特性情報は、キャリブレーション情報、補正係数、補正アルゴリズム、若しくは前記センサーの出力情報である、
上記（１）に記載の画像表示装置。
（３）画像を表示する表示部と、前記表示部から出力される画像を光学処理する光学系、又は、前記画像表示装置又は前記画像表示装置の使用者に関する情報を検出するセンサーとを備え、画像データを送受信可能な情報通信端末に接続される画像表示装置における画像表示方法において、
前記表示部、前記光学系、又は前記センサーに関する特性情報を保持する特性情報保持ステップと、
前記情報通信端末に前記特性情報を送信する送信ステップと、
前記情報通信端末側で前記特性情報に基づいて画像処理された画像又は情報を受信する受信ステップと、
前記画像処理された画像を前記表示部に表示出力する表示ステップと、
を有する画像表示方法。
（４）画像データを送受信可能な情報通信端末に接続される画像表示装置において、
画像を表示する表示部と、
前記表示部から出力される画像を光学処理する光学系、又は、前記画像表示装置又は前記画像表示装置の使用者に関する情報を検出するセンサーと、
前記画像表示装置に固有の識別情報を保持する識別情報保持部と、
前記情報通信端末に前記識別情報を送信する送信部と、前記情報通信端末側で前記識別情報に基づいて取得した前記表示部、前記光学系、又は前記センサーに関する特性情報を用いて画像処理された画像又は情報を受信する受信部を有し、前記画像処理された画像を前記表示部に表示出力させる制御部と、
を具備する画像表示装置。
（５）画像を表示する表示部と、前記表示部から出力される画像を光学処理する光学系、又は、前記画像表示装置又は前記画像表示装置の使用者に関する情報を検出するセンサーとを備え、画像データを送受信可能な情報通信端末に接続される画像表示装置における画像表示方法において、
前記画像表示装置に固有の識別情報を保持する識別情報保持ステップと、
前記情報通信端末に前記識別情報を送信する送信ステップと、
前記情報通信端末側で前記識別情報に基づいて取得した前記表示部、前記光学系、又は前記センサーに関する特性情報を用いて画像処理された画像又は情報を受信する受信ステップと、
前記画像処理された画像を前記表示部に表示出力する表示ステップと、
を有する画像表示方法。
（６）画像を表示する表示部、前記表示部の表示画像を光学処理する光学系、又は、前記画像表示装置又は前記画像表示装置の使用者に関する情報を検出するセンサーを有する画像表示装置に接続され、画像データを送受信可能な情報通信端末において、
前記画像表示装置から前記表示部、前記光学系、又は前記センサーに関する特性情報を取得する特性情報取得部と、
前記画像表示装置に提供する画像を、前記特性情報に基づいて処理する画像処理部と、
前記画像処理部により処理した後の画像を前記画像表示装置に送出する画像送信部と、
を具備する情報通信端末。
（７）前記画像表示装置は、加速度センサー、ＧＰＳセンサー、ジャイロ・センサー、速度センサー、圧力センサー、温度センサー、発汗センサー、筋電センサー、眼電センサー、又は放射線センサーのうち少なくとも１つを有し、
前記特性情報取得部は、前記画像表示装置の前記表示部、前記光学系、又は前記センサーに関する、キャリブレーション情報、補正係数、補正アルゴリズム、若しくは前記センサーの出力情報を前記特性情報として取得する、
上記（６）に記載の情報通信端末。
（８）  画像を表示する表示部、前記表示部の表示画像を光学処理する光学系、又は、前記画像表示装置又は前記画像表示装置の使用者に関する情報を検出するセンサーを有する画像表示装置に接続され、画像データを送受信可能な情報通信端末の情報通信方法において、
前記画像表示装置から前記表示部、前記光学系、又は前記センサーに関する特性情報を取得する特性情報取得ステップと、
前記画像表示装置に提供する画像を、前記特性情報に基づいて処理する画像処理ステップと、
前記画像処理ステップにより処理した後の画像を前記画像表示装置に送出する画像送信ステップと、
を有する情報通信方法。
（９）画像を表示する表示部、前記表示部の表示画像を光学処理する光学系、又は、前記画像表示装置又は前記画像表示装置の使用者に関する情報を検出するセンサーを有する画像表示装置に接続され、画像データを送受信可能な情報通信端末において、
前記画像表示装置に固有の識別情報を前記画像表示装置から取得する識別情報取得部と、
前記画像表示装置に提供する画像を、前記識別情報に基づいて取得した前記画像表示装置の前記表示部、前記光学系、又は前記センサーに関する特性情報を用いて処理する画像処理部と、
前記画像処理部により処理した後の画像を前記画像表示装置に送出する画像送信部と、
を具備する情報通信端末。
（１０）画像を表示する表示部、前記表示部の表示画像を光学処理する光学系、又は、前記画像表示装置又は前記画像表示装置の使用者に関する情報を検出するセンサーを有する画像表示装置に接続され、画像データを送受信可能な情報通信端末の情報通信方法において、
前記画像表示装置に固有の識別情報を取得する識別情報取得ステップと、
前記画像表示装置に提供する画像を、前記識別情報に基づいて取得した前記画像表示装置の前記表示部、前記光学系、又は前記センサーに関する特性情報を用いて処理する画像処理ステップと、
前記画像処理ステップにより処理した後の画像を前記画像表示装置に送出する画像送信ステップと、
を有する情報通信方法。
（１１）画像を表示する表示部、前記表示部の表示画像を光学処理する光学系、又は、前記画像表示装置又は前記画像表示装置の使用者に関する情報を検出するセンサーと、前記光学系又は前記センサーに関する特性情報を有する画像表示装置と、
前記画像表示装置に接続され、画像データを送受信可能な情報通信端末と、
を具備し、
前記情報通信端末は、前記画像表示装置から前記表示部、前記光学系、又は前記センサーに関する特性情報を取得し、前記特性情報に基づいて処理した後の画像を前記画像表示装置に送出する、
画像表示システム。
（１２）前記画像表示装置は、加速度センサー、ＧＰＳセンサー、ジャイロ・センサー、速度センサー、圧力センサー、温度センサー、発汗センサー、筋電センサー、眼電センサー、又は放射線センサーのうち少なくとも１つを有し、
前記情報通信端末は、前記画像表示装置の前記表示部、前記光学系、又は前記センサーに関する、キャリブレーション情報、補正係数、補正アルゴリズム、若しくは前記センサーの出力情報を前記特性情報として取得する、
上記（１１）に記載の画像表示システム。
（１３）画像を表示する表示部、前記表示部の表示画像を光学処理する光学系、又は、前記画像表示装置又は前記画像表示装置の使用者に関する情報を検出するセンサーと、前記光学系又は前記センサーに関する特性情報を有する画像表示装置と、
前記画像表示装置に接続され、画像データを送受信可能な情報通信端末と、
を具備し、
前記情報通信端末は、前記画像表示装置に固有の識別情報を前記画像表示装置から取得するとともに、前記識別情報に基づいて取得した前記表示部、前記光学系、又は前記センサーに関する特性情報を用いて処理した後の画像を前記画像表示装置に送出する、
画像表示システム。
【先行技術文献】
【特許文献】
【０１０４】
【特許文献１】特開２０１２−１４１４６１号公報
【特許文献２】特開２００９−３６９５５号公報
【特許文献３】特開２００８−２５８８０２号公報
【産業上の利用可能性】
【０１０５】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。【０１０６】
頭部装着型の画像表示装置は、遮光性のタイプと透過性のタイプに分類することができるが、本明細書で開示する技術はこれらのいずれのタイプにも適用することができる。また、頭部装着型の画像表示装置は、左右両方の眼に表示部を備えた両眼タイプと、左右いずれか一方にのみ表示部を備えた単眼タイプに分類することができるが、本明細書で開示する技術はこれらのいずれのタイプにも適用することができる。【０１０７】
また、情報通信端末の一例として、スマートフォンなどの多機能携帯端末を挙げたが、画像情報を外部に出力可能な他のさまざまな情報機器を情報通信端末として用いることができる。【０１０８】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【０１０９】
１…画像表示システム
１０…画像表示装置（ヘッド・マウント・ディスプレイ）
２０…情報通信端末（多機能携帯端末）
２０１…制御部、２０１Ａ…ＲＯＭ、２０１Ｂ…ＲＡＭ
２０２…入力操作部、２０３…リモコン受信部
２０４…環境情報取得部、２０５…状態情報取得部
２０６…通信部、２０７…映像処理部
２０８…表示駆動部、２０９…表示パネル、２１０…虚像光学部
３０１…ＣＰＵ、３０２…ＲＯＭ、３０３…ＲＡＭ
３０４…バス、３０５…記憶部
３０６…携帯電話送受信部、３０７…システム内通信部
３０８…ワンセグ・チューナー部、３０９…操作部
３１０…ＬＥＤ、３１１…バイブレーター
３１２…音声入出力制御部、３１３…マイクロフォン、３１４…スピーカー
３１５…ディスプレイ、３１６…撮像部
【図２】
2014034378.tif 000003
【図３】
2014034378.tif 000004
【図４】
2014034378.tif 000005
【図５】
2014034378.tif 000006
【図６】
2014034378.tif 000007
【図７】
2014034378.tif 000008
【図８】
2014034378.tif 000009
【図９】
2014034378.tif 000010
【図１０】
2014034378.tif 000011
【図１１Ａ】
2014034378.tif 000012
【図１１Ｂ】
2014034378.tif 000013
【図１２】
2014034378.tif 000014
【図１３】
2014034378.tif 000015
【図１４】
2014034378.tif 000016
【図１５】
2014034378.tif 000017
【図１７】
2014034378.tif 000018
【図１】
2014034378.tif 000019
【図１６】
2014034378.tif 000020
【国際調査報告】
2014034378.tif 000021
2014034378.tif 000022
2014034378.tif 000023
2014034378.tif 000024